(57)【要約】【課題】表紙とその内部のシートとを溶着しても、表紙の背表紙部分が潰れたりすることのないファイルと、そのようなファイルの製造方法を得る。【解決手段】背表紙１４、表表紙１６、裏表紙１８を有する表紙１２を準備する。ここで、背表紙の長手方向の両端部に、隣接する表表紙１６および裏表紙１８の端部より窪んだ窪み部を形成しておく。外側から内側に向かうにしたがって幅方向長さが長くなるように、複数のシート３０を配置する。これらのシート３０の間に隔幅部材を挟み、平らに保持した背表紙１４にシート３０の幅方向端部を溶着する。シート３０を背表紙１４に溶着したのち、隔幅部材を抜き取る。シート３０が内側となるように、表表紙１６と裏表紙１８を閉じて、背表紙１４を湾曲させる。【選択図】図１
2011126076.tif 000002
【特許請求の範囲】
【請求項１】
背表紙と前記背表紙の幅方向の両側に形成される表表紙と裏表紙とを含む表紙、および
前記表紙の前記背表紙に端部が溶着されるシートを含み、
予め前記背表紙の長手方向の両端部を隣接する前記表表紙および前記裏表紙の両端部より窪んだ状態としておくことにより、前記シートを前記背表紙に溶着したときに、前記背表紙の長手方向の両端部が隣接する前記表表紙および前記裏表紙の両端部を越えないようにした、ファイル。
【請求項２】
前記背表紙には、長手方向に並んで複数の貫通孔が形成されることにより複数の前記貫通孔間に複数の連結部が設けられ、外側の２つの前記連結部の端部を隣接する前記表表紙および前記裏表紙の端部より窪んだ状態としておくことにより、前記シートを前記背表紙に溶着したときに、前記背表紙に形成された外側の２つの前記連結部が隣接する前記表表紙および前記裏表紙の端部を越えないようにした、請求項１に記載のファイル。
【請求項３】
背表紙と前記背表紙の幅方向の両側に形成される表表紙と裏表紙とを含み、前記背表紙の長手方向の両端部を隣接する前記表表紙および前記裏表紙の両端部より窪んだ状態とした表紙を準備する工程、
前記表紙に取り付けられるシートを準備する工程、
前記背表紙に前記シートの端部を近付けて、前記背表紙と前記シートの対向部を溶融させる工程、および
前記背表紙と前記シートの溶融した対向部を接触させて前記背表紙と前記シートの端部とを溶着する工程を含む、ファイルの製造方法。
【請求項４】
前記表紙を準備する工程において、前記背表紙の長手方向に並んで複数の貫通孔が形成されることにより複数の連結部が設けられた前記表紙が準備され、
前記背表紙と前記シートの対向部を溶融させる工程において、前記背表紙の前記連結部と前記シートの対向部が溶融させられ、
前記背表紙と前記シートの端部とを溶着する工程において、前記背表紙の前記連結部と前記シートの溶融した対向部を接触させて前記連結部と前記シートの端部とを溶着する、請求項３に記載のファイルの製造方法。
【発明の詳細な説明】
【技術分野】
【０００１】
この発明は、ファイルおよびその製造方法に関し、特にたとえば、表紙の内側に複数のシートを溶着したファイルとその製造方法に関する。
【背景技術】
【０００２】
たとえば、熱可塑性樹脂からなる背部と被綴じシートとを溶着することにより製本されたアルバムなどのようなファイルがある。このようなファイルを作製するには、図１９に示すように、多数枚の被綴じシート１が重合して被綴じ体用の保持機構２で保持される。これらの被綴じシート１の重なり端面に、表紙用の保持機構３で保持された表紙４の背部の内側が近付けられ、被綴じシート１の重なり端面と表紙４の背部との間に発熱体５が挿入される。発熱体５による加熱により、被綴じシート１の重なり端面と表紙４の背部が同時に溶融する。この状態で、被綴じシート１と表紙４の背部との間から発熱体５を引き抜き、被綴じシート１の重なり端面と表紙４の背部とを接触させることにより、被綴じシート１と表紙４とが溶着される。
【０００３】
このような製本方法で作製されるファイルとしては、アルバム以外に、名刺ホルダーやはがき整理用ファイルなどがある（特許文献１参照）。
【先行技術文献】
【特許文献】
【０００４】
【特許文献１】特許第２５２３２６１号公報
【発明の概要】
【発明が解決しようとする課題】
【０００５】
しかしながら、表紙４の背部４ａを溶融させるために加熱すると、図２０に示すように、背部４ａが膨張して、背部４ａの長手方向の両端部が隣接する表表紙４ｂおよび裏表紙４ｃの端部を越えて突出してしまう。このように、背部４ａの長手方向の端部が隣接する表表紙４ｂおよび裏表紙４ｃの端部を越えると、本棚などにファイルを立てて保管したときに、背部４ａの端部でファイルを支えることになり、背部４ａの端部に大きな力が加わる。そのため、背部４ａの端部が潰れて、見栄えが悪くなってしまうことがある。
【０００６】
それゆえに、この発明の主たる目的は、表紙とその内部のシートとを溶着しても、表紙の背表紙部分が潰れたりすることのないファイルと、そのようなファイルの製造方法を提供することである。
【課題を解決するための手段】
【０００７】
この発明は、背表紙と背表紙の幅方向の両側に形成される表表紙と裏表紙とを含む表紙、および表紙の背表紙に端部が溶着されるシートを含み、予め背表紙の長手方向の両端部を隣接する表表紙および裏表紙の両端部より窪んだ状態としておくことにより、シートを背表紙に溶着したときに、背表紙の長手方向の両端部が隣接する表表紙および裏表紙の両端部を越えないようにした、ファイルである。
このようなファイルにおいて、背表紙には、長手方向に並んで複数の貫通孔が形成されることにより複数の貫通孔間に複数の連結部が設けられ、外側の２つの連結部の端部を隣接する表表紙および裏表紙の端部より窪んだ状態としておくことにより、シートを背表紙に溶着したときに、背表紙に形成された外側の２つの連結部が隣接する表表紙および裏表紙の端部を越えないようにすることができる。
また、この発明は、背表紙と背表紙の幅方向の両側に形成される表表紙と裏表紙とを含み、背表紙の長手方向の両端部を隣接する表表紙および裏表紙の両端部より窪んだ状態とした表紙を準備する工程と、表紙に取り付けられるシートを準備する工程と、背表紙にシートの端部を近付けて、背表紙とシートの対向部を溶融させる工程と、背表紙とシートの溶融した対向部を接触させて背表紙とシートの端部とを溶着する工程とを含む、ファイルの製造方法である。
このようなファイルの製造方法において、表紙を準備する工程において、背表紙の長手方向に並んで複数の貫通孔が形成されることにより複数の連結部が設けられた表紙が準備され、背表紙とシートの対向部を溶融させる工程において、背表紙の連結部とシートの対向部が溶融させられ、背表紙とシートの端部とを溶着する工程において、背表紙の連結部とシートの溶融した対向部を接触させて連結部とシートの端部とを溶着するようにしてもよい。
【０００８】
予め背表紙の長手方向の両端を隣接する表表紙および裏表紙の両端より窪んだ状態とすることにより、背表紙とシートとを溶着するために背表紙を加熱して、背表紙が膨張しても、背表紙の長手方向の両端部が隣接する表表紙および裏表紙の両端部を越えないようにすることができる。
ここで、背表紙の長手方向に並んで貫通孔を形成することにより、背表紙に複数の連結部が形成される。この場合、連結部と複数のシートとが溶着されるが、連結部も加熱されることにより膨張する。そこで、外側にある２つの連結部について、予めその端部を隣接する表表紙および裏表紙の端部より窪んだ状態としておくことにより、連結部とシートとを溶着したときに、外側の連結部の端部が隣接する表表紙および裏表紙の端部を越えないようにすることができる。
【発明の効果】
【０００９】
この発明によれば、背表紙とシートとを溶着しても、背表紙の長手方向の両端部が隣接する表表紙および裏表紙の両端部を越えないため、ファイルを立てて保管しても、特定の場所に力が集中しない。そのため、特定の場所が潰れたりせず、長期間きれいな外観を保つことができる。
【００１０】
この発明の上述の目的，その他の目的，特徴および利点は、図面を参照して行う以下の発明を実施するための最良の形態の説明から一層明らかとなろう。
【図面の簡単な説明】
【００１１】
【図１】この発明のファイルの一例を示す斜視図である。
【図２】図１に示すファイルに用いられる表紙を示す平面図である。
【図３】図２に示す表紙のＡ−Ａ断面図である。
【図４】背表紙の貫通孔部分におけるシートの状態を示す図解図である。
【図５】図１に示すファイルの背表紙側の外観を示す斜視図である。
【図６】図１に示すファイルの製造工程において、表紙を準備する工程を示す図解図である。
【図７】図６に示す表紙の要部を示す平面図である。
【図８】シートと合紙とを積層する工程を示す図解図である。
【図９】「１」の日付が表示されたインデックスを有するシートの平面図である。
【図１０】「２」の日付が表示されたインデックスを有するシートの平面図である。
【図１１】「１６」の日付が表示されたインデックスを有するシートの平面図である。
【図１２】「１７」の日付が表示されたインデックスを有するシートの平面図である。
【図１３】黒いドットが表示されたインデックスを有するシートの平面図である。
【図１４】背表紙にシートを溶着する工程を示す図解図である。
【図１５】表紙の背表紙にシートを溶着したときの表紙の要部を示す平面図である。
【図１６】表紙に背見出しを形成する工程を示す図解図である。
【図１７】シート間に書類を挟み込んだ状態を示す図解図である。
【図１８】実施例における背表紙の端部付近の寸法を示す図解図である。
【図１９】従来の製本方法の一例を示す図解図である。
【図２０】図１９に示す方法で作製されたファイルの一例を示す図解図である。
【発明を実施するための形態】
【００１２】
図１は、この発明のファイルの一例を示す斜視図である。このファイル１０は、たとえば、１か月のうちのそれぞれの日に必要な書類を管理するために用いられる。ファイル１０は、たとえばポリプロピレンなどの熱可塑性樹脂などで形成された表紙１２を含む。表紙１２は、図２に示すように、長方形状の背表紙１４と、背表紙１４の幅方向の一方側に連続して形成される表表紙１６と、背表紙１４の幅方向の他方側に連続して形成される裏表紙１８とを含む。表表紙１６は、たとえば長方形に形成され、その幅方向の一端側が背表紙１４に連結されている。また、裏表紙１８は、たとえば、幅方向の一端側に複数の略円弧状の凹部１８ａが形成されるとともに、他の３辺が直線状に形成される。そして、裏表紙１８の凹部１８ａ形成部の反対側の端部が、背表紙１４に連結されている。そして、この実施の形態では、裏表紙１８の幅は、表表紙１６の幅より大きくなるように形成される。背表紙１４、表表紙１６および裏表紙１８は、たとえばシート状の材料を切断することにより、一体的に形成される。
【００１３】
背表紙１４には、その長手方向の上端側から下端側まで並ぶように、複数の略４角形の貫通孔２０が形成される。なお、貫通孔２０の４つの角部分は、円弧状に形成されている。これらの貫通孔２０は、その幅が揃うようにして長手方向に連なるように、直線状に並んで配置される。したがって、貫通孔２０の間には、帯状の連結部２２が形成される。背表紙１４と表表紙１６との間および背表紙１４と裏表紙１８との間には、表紙１２の上端から下端にわたってヒンジ溝２４が形成される。さらに、ヒンジ溝２４から間隔を隔ててヒンジ溝２４と平行に、表表紙１６および裏表紙１８の上端から下端にわたって別のヒンジ溝２４が形成される。ヒンジ溝２４は、図３に示すように、表紙１２の一方面および他方面に形成される。表紙１２の一方面側においては、略円弧状の断面形状を有する第１の溝２４ａが形成される。また、表紙１２の他方面側においては、若干窪んだ断面形状を有する第２の溝２４ｂが形成される。そして、第１の溝２４ａの形成された側が表側となり、第２の溝２４ｂの形成された側が内側となるように、表紙１２が折りたたまれる。
【００１４】
断面円弧状の第１の溝２４ａ側は比較的自由に変形するが、断面窪み状の第２の溝２４ｂ側の自由度は低いため、表紙１２を折りたたむと、表表紙１６および裏表紙１８によって背表紙１４に応力がかかる。背表紙１４に形成された貫通孔２０により帯状に形成された連結部２２は、表表紙１６や裏表紙１８に比べて応力に弱いため、外側に向かって突出するように湾曲する。なお、第１の溝２４ａと第２の溝２４ｂとの間の間隔が小さい場合、溝２４部分で表紙１２が折れ曲がりやすく、背表紙１４が湾曲しにくくなる。また、第１の溝２４ａと第２の溝２４ｂとの間の間隔が大きい場合、溝２４部分で表紙１２が折れ曲がりにくくなる。そのため、表紙１２を閉じたときに、表表紙１６と裏表紙１８とが開いた状態となったり、背表紙１４が応力に耐えられなくなり、連結部２２の中央部で折れ曲がって背表紙１４が湾曲しなくなったりする。そのため、第１の溝２４ａと第２の溝２４ｂとの間の間隔は、背表紙１４がきれいに湾曲するような間隔となるように設定される。
【００１５】
湾曲する背表紙１４の内側には、複数のシート３０が形成される。シート３０は、背表紙１４の長手方向の両端から内側に入った位置に形成される。シート３０は、たとえばポリプロピレンなどの熱可塑性樹脂などで長方形状に形成される。つまり、シート３０の幅方向の一端側は、背表紙１４の内側に密着するように、長手方向において直線状となるように形成される。そして、隣接するシート３０が所定の間隔を隔てて配置されるようにして、シート３０の幅方向の一端側が、背表紙１４に溶着される。このとき、背表紙１４の連結部２２にシート３０が溶着されるが、貫通孔２０部分においては、図４に示すように、シート３０の端部が溶融して、隣接するシート３０の端部を連結するブリッジ３０ａが形成される。背表紙１４は湾曲しているため、表表紙１６と裏表紙１８との間において、全てのシート３０が背表紙１４から遠ざかるにしたがって表表紙１６と裏表紙１８の間の中央部に向かって集中する。したがって、表紙１２を閉じたとき、背表紙１４との溶着部においては、それぞれのシート３０が互いに間隔を隔てているが、背表紙１４から離れた部分においては、表表紙１６と裏表紙１８との間において全てのシート３０が密着した状態となる。
【００１６】
シート３０には、たとえば５つの円形の貫通孔３２が形成される。貫通孔３２は、たとえば正方形の各頂点とその中央部に対応する位置に形成される。さらに、シート３０の幅方向において、背表紙１６との溶着部の反対側端部に、インデックス３４が形成される。インデックス３４は、シート３０の幅方向の端部の一部が突出するように形成される。
【００１７】
この実施の形態では、表表紙１６側の１６枚のシート３０に、互いに位置をずらして日付表示用のインデックス３４が形成される。このとき、表表紙１６側から内側に向かうにしたがって、シート３０の長手方向の一端側から他端側に位置をずらしてインデックス３４を形成することにより、全てのシート３０のインデックス３４が見えるように配置することができる。そして、表表紙１６側から内側に向かうにしたがって数字が大きくなるように、各インデックス３４に「１」から「１６」までの日付が印刷される。それにより、シート３０がまとまったとき、シート３０の長手方向の一端側から他端側に向かって、「１」から「１６」までの日付が順序よく並んで表示される。
【００１８】
さらに、「１６」の日付が表示されたインデックス３４に続いて、「１７」から「３１」までの日付が表示されたインデックス３４を有するシート３０が配置される。そして、「３１」の日付が表示されたインデックス３４を有するシート３０に続いて、つまり裏表紙１８側に、黒いドットが表示されたインデックス３４を有するシート３０が配置される。「１７」から黒いドットまで表示されたインデックス３４を有するシート３０の幅は、「１」から「１６」まで表示されたインデックス３４を有するシート３０の幅より大きく形成される。それにより、「１」から「１６」までの表示と「１７」から黒いドットまでの表示とが段違いに表示され、全ての表示を見ることができる。なお、「１７」から黒いドットまでの表示がされたインデックス３４についても、「１」から「１６」までの表示がされたインデックス３４と同様の位置関係となるように、各シート３０にインデックス３４が形成されている。
【００１９】
裏表紙１８の端部は、「１７」から黒いドットまで表示されたインデックス３４より外側にくるように、裏表紙１８の幅が設定される。ここで、裏表紙１８の端部に凹部１８ａが形成されていない場合、シート３０と裏表紙１８との間に指を入れて、所望の日付が表示されたインデックス３４を有するシート３０を開く必要がある。しかしながら、このファイル１０の場合、裏表紙１８の幅方向の端部に形成された凹部１８ａが、「１７」から黒いドットまで表示されたインデックス３４のそれぞれに対応する位置に形成される。したがって、「１７」から黒いドットまで表示されたインデックス３４の背面には、それぞれ裏表紙１８の凹部１８ａが配置される。それにより、凹部１８ａに沿って指を動かすことにより、「１７」から黒いドットが表示されたインデックス３４のそれぞれに指を当てることができ、所望の日付が表示されたインデックス３４を有するシート３０を開くことができる。また、「１」から「１６」まで表示されたインデックス３４が見えるように、表表紙１６の幅が設定される。したがって、表紙１２を閉じたとき、表表紙１６側から見ると、下から順に、裏表紙１８、「１７」から黒いドットまで表示されたインデックス３４、「１」から「１６」まで表示されたインデックス３４、表表紙１６が見えることになる。
【００２０】
さらに、図５に示すように、背表紙１４の外面側を覆うように、表紙１２の長手方向の上端から下端まで、背見出し４０が形成される。背見出し４０は、たとえば透明な長方形状の熱可塑性フィルムを背表紙１４と平行な位置で表表紙１６および裏表紙１８に溶着することにより形成される。そして、背見出し４０に背見出し紙４２を挿入することにより、必要な情報を表示することができる。このとき、裏表紙１８側よりも表表紙１６側のほうに多くの背見出し４０がくるようにすることにより、表表紙１６側から背見出し紙４２に表示された情報が確認しやすくなる。
【００２１】
このようなファイル１０を作製するために、図６に示すように、表紙１２が準備される。ここで、表紙１２として、図７に示すように、予め背表紙１４の長手方向の両端部が表表紙１６および裏表紙１８の長手方向の両端部より窪んだ状態となるように形成されたものが用いられる。つまり、貫通孔２０の間に形成された連結部２２の最も外側にあるものについて、貫通孔２０の反対側に窪み部２２ａが形成されている。窪み部２２ａは、たとえば背表紙１４の幅と略同じとなるように形成され、窪み部２２ａと表表紙１６との境界部分および窪み部２２ａと裏表紙１８との境界部分は円弧状に形成される。このような表紙１２について、背表紙１４が平らになるように保持される。
【００２２】
次に、図８に示すように、複数のシート３０が準備される。シート３０の大きさは、ファイル１０に保管する書類の大きさより大きくなるように設定される。ここで、図９に示すように、「１」の日付が表示されたインデックス３４を有するシート３０の幅をＬ（１）とし、図１０に示すように、「２」の日付が表示されたインデックス３４を有するシート３０の幅をＬ（２）とすると、Ｌ（２）がＬ（１）より長くなるように形成される。同様にして、図１１に示すように、「１６」の日付が表示されたインデックス３４を有するシート３０の幅Ｌ（１６）まで、順次シート３０の幅が長くなるように形成される。
【００２３】
さらに、図１２に示すように、「１７」の日付が表示されたインデックス３４を有するシート３０の幅Ｌ（１７）は、「１６」の日付が表示されたインデックス３４を有するシート３０の幅Ｌ（１６）より大きく形成される。これは、図１に示すように、「１」から「１６」までの日付が表示されたインデックス３４と「１７」から黒いドットまで表示されたインデックス３４とが、段違いに配置されるようにするためである。そして、「１７」の日付が表示されたインデックス３４を有するシート３０の幅Ｌ（１７）から、図１３に示すような黒いドットが表示されたインデックス３４を有するシート３０の幅Ｌ（ｄｏｔ）まで、順次幅が小さくなっていくように、各シート３０が形成される。したがって、表表紙１６側および裏表紙１８側から中央部のシート３０に向かって幅が大きくなるように各シート３０が配置されている。
【００２４】
なお、それぞれのシート３０において、複数の円形の貫通孔３２のうちの対応するものは、シート３０の長手方向の同じ位置に形成される。また、それぞれのシート３０において、複数の円形の貫通孔３２のうちの対応するものは、シート３０のインデックス３４とは反対側の幅方向端部から等距離となる位置に形成される。したがって、幅の異なるシート３０であっても、長手方向の端部およびインデックス３４とは反対側の幅方向端部を揃えて重ねることにより、全てのシート３０の貫通孔３２を揃えることができる。
【００２５】
このように配置されたシート３０の間に、隔幅部材としての合紙５０が挟み込まれる。合紙５０は、図７に示すように、所定の厚みを有する長方形状に形成される。合紙５０の長手方向の長さは、シート３０の長手方向と同じ長さとなるように形成される。そして、合紙５０の長手方向の両端に、一部が突出する突出部５０ａが形成される。また、合紙５０の幅方向の長さは、たとえばシート３０の幅方向の長さより長くなるように形成される。
【００２６】
合紙５０には、３つの貫通孔５２が形成される。合紙５０の貫通孔５２は、インデックス３４とは反対側のシート３０の幅方向端部に近い３つの貫通孔３２に対応して形成される。つまり、シート３０の長手方向と合紙５０の長手方向とを合わせるとともに、インデックス３４とは反対側のシート３０の幅方向端部と合紙５０の幅方向の一端側とを合わせるようにして、シート３０と合紙５０とを重ねたとき、インデックス３４とは反対側のシート３０の幅方向端部側にある３つの貫通孔３２と合紙５０の貫通孔５２とが重なるように形成される。このような合紙５０を複数のシート３０の間に挟み込み、シート３０の貫通孔３２と合紙５０の貫通孔５２とを揃えることにより、全てのシート３０について、インデックス３４とは反対側の端部が揃うように配置することができる。次に、図１４に示すように、表紙１２の背表紙１４にシート３０が溶着される。
【００２７】
そして、表紙１２の第２の溝２４ｂが形成された側において、インデックス３４とは反対側のシート３０の幅方向端部が背表紙１４側に配置される。この状態で、背表紙１４とシート３０との間に発熱体が挿入され、背表紙１４とシート３０の対向部を溶融し、互いを押し当てることにより、背表紙１４とシート３０とが溶着される。このとき、連結部２２部分において、シート３０の幅方向端部が接続され、背表紙１４の貫通孔２０部分において、シート３０の端部間にブリッジ３０ａが形成される。このように、合紙５０を挟んでシート３０を背表紙１４に溶着することにより、隣接するシート３０間に合紙５０の厚み分の隙間を形成することができる。
【００２８】
なお、溶着のために背表紙１４が加熱されるが、それにより連結部２２が膨張して、その幅が増大する。中間部の連結部２２については、幅が増大しても特に問題はないが、背表紙１４の両端にある連結部２２の幅が増大すると、連結部２２の端部が表表紙１６および裏表紙１８の端部を越えて突出する。この場合、ファイル１０を立てて保管するときに、突出した連結部２２にファイル１０の重量が集中し、背表紙１４が潰れて、見栄えが悪くなる。しかしながら、背表紙１４の長手方向の両端部、つまり外側に位置する２つの連結部２２の端部に予め窪み部２２ａが形成されていることにより、図１５に示すように、熱による連結部２２の膨張により幅が増大しても、表表紙１６および裏表紙１８の端部を越えないようにすることができる。したがって、ファイル１０を立てて保管したとき、背表紙１４に重量が集中するのを防止することができる。
【００２９】
次に、図１６に示すように、表紙１２には、シート３０が溶着された側と反対側に長方形状の透明な樹脂フィルムが溶着され、背見出し４０が形成される。ここで、上述のように、表表紙１６側が裏表紙１８側より多く背見出し４０で覆われるようにして、背見出し４０の幅方向の両側が表紙１２に溶着される。この背見出し４０に、背見出し紙４２が挿入される。次に、突出部５０ａを利用して合紙５０を引き抜くことにより、シート３０間の合紙５０が除去される。
【００３０】
そして、シート３０が内側となるようにして、表表紙１６と裏表紙１８とが閉じられる。それにより、背表紙１４がシート３０と反対側に突出するように湾曲し、図１に示すファイル１０が得られる。なお、シート３０の幅が異なるため、背表紙１４が平らな状態でシート３０を溶着したとき、インデックス３４側のシート３０の幅方向端部は不揃いとなる。しかしながら、表紙１２を閉じることにより、背表紙１４が湾曲するため、中央部にあるシート３０ほど背表紙１４側に引き込まれる。複数のシート３０は、外側から内側に向かうにしたがって、幅が大きくなるように配置されているため、表紙１２を閉じて背表紙１４が湾曲することにより、インデックス３４側のシート３０の幅方向端部が揃えられる。このように、表紙１２を閉じたときに、シート３０のインデックス３４側の幅方向端部を揃えるために各シート３０の幅を変えているが、背表紙１４の幅、曲率半径および隣接するシート３０間の間隔などにより、表紙１２を閉じたときのシート３０の引き込み量が異なる。そのため、表紙１２を閉じたときのシート３０の引き込み量に応じて、隣接するシート３０間の幅の差が設定される。
【００３１】
このようにして得られたファイル１０は、たとえば１か月分の書類管理用ファイルとして用いられる。たとえば、その月の１日に必要な書類６０は、図１に示すように、「１」の日付が表示されたインデックス３４を有するシート３０と「２」の日付が表示されたインデックス３４を有するシート３０との間に挟み込まれる。ここで、隣接するシート３０間には、合紙５０の厚み分の隙間が形成されているが、図１７に示すように、背表紙１４が湾曲しているため、背表紙１４から離れるにしたがって、表表紙１６と裏表紙１８との間で全てのシート３０が中央側に集合し、隣接するシート３０が密着した状態となる。そのため、表紙１２を閉じれば、隣接するシート３０によって書類６０が押し付けられ、書類６０はファイル１０から外れることなく保持される。書類６０が複数枚の場合であっても、隣接するシート３０間に合紙５０の厚み分の隙間があるため、書類６０をまとめてシート３０間に保持することができる。
【００３２】
ファイル１０に保持した書類を取り出すときには、必要とする日付が表示されたインデックス３４を有するシート３０を開くことにより、書類６０を取り出すことができる。ここで、シート３０には円形の貫通孔３２が形成されているため、シート３０と書類６０との間が真空状態となって、シート３０に書類６０が貼り付くことを防止することができる。このように、このファイル１０は、隣接するシート３０間に書類を挟み込むだけで保持することができるため、書類６０の出し入れが容易である。
【００３３】
さらに、このファイル１０では、背表紙１４の端部が表表紙１６および裏表紙１８の端部を越えない形状となっているため、ファイル１０を本棚などに立てて保管しても、ファイル１０の重量が特定箇所に集中しない。そのため、ファイル１０の端部が潰れたりすることを防止することができ、きれいな外観を保つことができる。なお、背表紙１４としては、貫通孔２０が形成されていないものを用いることもできる。この場合においても、背表紙１４の長手方向の両端部に隣接する表表紙１６および裏表紙１８の端部より窪んだ窪み部２２ａを形成しておくことにより、シート３０を溶着したときに、背表紙１４の端部が隣接する表表紙１６および裏表紙１８の端部を越えないようにすることができる。
【００３４】
このように、このファイル１０を用いれば、１か月のそれぞれの日に必要な書類を管理することができる。なお、シート３０の数は任意に変更可能であり、たとえば１週間分の書類を管理するのであれば、「１」から「７」までの日付が表示されたインデックス３４を有するシート３０と、ドットが表示されたインデックス３４を有するシート３０とを用いればよい。また、２週間分の書類を管理するのであれば、「１」から「１４」までの日付が表示されたインデックス３４を有するシート３０と、ドットが表示されたインデックス３４を有するシート３０を用いればよい。さらに、インデックス３４の表示としては、日付に限らず、ファイル１０の用途に応じて他の項目を表示してもよい。
【００３５】
また、この発明の製造方法を用いることにより、シート３０を溶着した背表紙１４が湾曲しているにもかかわらず、インデックス３４側の幅方向端部が揃うように、シート３０を配置することができる。そのため、インデックス３４をきれいに並べることができ、インデックス４の表示を見やすくすることができる。しかも、背表紙１４の端部が表表紙１６および裏表紙１８の端部を越えないファイル１０を作製することができ、ファイル１０の重量による特定箇所の破損などを防止することができるファイル１０を得ることができる。
【実施例】
【００３６】
厚さ１ｍｍのポリプロピレンシートを用いて、図６に示す表紙１２を形成した。ここで、ポリプロピレンシートの延伸方向が表表紙１６から裏表紙１８に向かう方向となるようにして、表紙１２を形成した。表紙１２の全体の大きさは、４９９ｍｍ×３１８ｍｍである。このような表紙１２において、図１８に示すように、背表紙１４の長手方向の端部における貫通孔２０の幅を３０ｍｍ、貫通孔２０の角部における円弧の曲率半径を２ｍｍ、連結部２２の幅を５ｍｍ、窪み部２２ａの長さを３７ｍｍ、窪み部２２ａと表表紙１６との間の円弧および窪み部２２ａと裏表紙１８との間の円弧の曲率半径を０．５ｍｍとした。
【００３７】
このような表紙１２の背表紙１４に、ポリプロピレンシートからなるシート３０を３２枚重合して溶着したところ、連結部２２の外側への張出し量は０．５ｍｍ以内におさまり、隣接する表表紙１６および裏表紙１８の端部を越えることはなかった。なお、表紙１２の背表紙１４の長手方向両端における窪み部２２ａの深さは、表紙１２の材質、表紙１２の熱膨張率、表紙１２の厚み、背表紙１４の長手方向両端部における連結部２２の長さおよび幅、シートを溶着するときの加熱温度および加熱時間、製本後における表表紙１６および裏表紙１８に対する背表紙１４のへこみの許容量などによって影響される。したがって、製本後において、背表紙１４の長手方向の両端が隣接する表表紙１６および裏表紙１８の端部を越えないように、これらのパラメータを選択すればよい。
【符号の説明】
【００３８】
１０  ファイル
１２  表紙
１４  背表紙
１６  表表紙
１８  裏表紙
２０  貫通孔
２２  連結部
２４  溝
３０  シート
３２  貫通孔
３４  インデックス
４０  背見出し
４２  背見出し紙
５０  合紙
６０  書類
【図１】
2011126076.tif 000003
【図２】
2011126076.tif 000004
【図３】
2011126076.tif 000005
【図４】
2011126076.tif 000006
【図５】
2011126076.tif 000007
【図６】
2011126076.tif 000008
【図７】
2011126076.tif 000009
【図８】
2011126076.tif 000010
【図９】
2011126076.tif 000011
【図１０】
2011126076.tif 000012
【図１１】
2011126076.tif 000013
【図１２】
2011126076.tif 000014
【図１３】
2011126076.tif 000015
【図１４】
2011126076.tif 000016
【図１５】
2011126076.tif 000017
【図１６】
2011126076.tif 000018
【図１７】
2011126076.tif 000019
【図１８】
2011126076.tif 000020
【図１９】
2011126076.tif 000021
【図２０】
2011126076.tif 000022